【手続補正書】
【提出日】平成18年2月3日(2006.2.3)
【手続補正１】
【補正対象書類名】特許請求の範囲
【補正対象項目名】全文
【補正方法】変更
【補正の内容】
【特許請求の範囲】
【請求項１】
組織を治療するためのＲＦハンドピース（１０）であって、
ハンドピースハウジング（１４）を含むハンドピース組立体（１２）と、
前記ハンドピースハウジング（１４）に着脱自在に結合されたＲＦ電極装置（１８）とを有し、該ＲＦ電極装置（１８）は、導電性部分（２８）及び誘電体（３０）を備えたＲＦ電極（２０）を含むように構成されているＲＦハンドピース（１０）において、
前記ＲＦハンドピース（１０）は、前記ＲＦ電極（２０）に結合された力センサ（４４）を更に有することを特徴とするＲＦハンドピース（１０）。
【請求項２】
使用状態において、前記誘電体（３０）が前記組織に接触し、かつ、前記導電性部分（２８）が前記組織から離れるように、前記導電性部分（２８）は前記誘電体（３０）に接着されることを特徴とする請求項１に記載のＲＦハンドピース（１０）。
【請求項３】
前記ＲＦ電極装置（１８）及び前記ハンドピースハウジング（１４）に結合された冷却用流動性媒体小出し組立体を更に有することを特徴とする請求項１又は２に記載のＲＦハンドピース（１０）。
【請求項４】
前記冷却用流動性媒体小出し組立体は、冷却用流動性媒体弁部材（１６）に結合された流体送り出し部材（２２）を有することを特徴とする請求項３に記載のＲＦハンドピース（１０）。
【請求項５】
前記冷却用流動性媒体弁部材（１６）は、前記ハンドピースハウジング（１４）の中に配置されることを特徴とする請求項４に記載のＲＦハンドピース（１０）。
【請求項６】
前記冷却用流動性媒体弁部材（１６）は、前記ＲＦ電極装置（１８）に配置されることを特徴とする請求項４に記載のＲＦハンドピース（１０）。
【請求項７】
前記流体送り出し部材（２２）は、前記ハンドピースハウジング（１４）の中に配置されることを特徴とする請求項４に記載のＲＦハンドピース（１０）。
【請求項８】
前記流体送り出し部材（２２）は、ＲＦ電極装置に配置されることを特徴とする請求項４に記載のＲＦハンドピース（１０）。
【請求項９】
前記流体送り出し部材（２２）は、ノズル（３６）を有することを特徴とする請求項４〜８のいずれか１項に記載のＲＦハンドピース（１０）。
【請求項１０】
前記流体送り出し部材（２２）は、制御された量の冷却用流動性媒体を前記ＲＦ電極（２０）に送り出すように構成されることを特徴とする請求項４〜９のいずれか１項に記載のＲＦハンドピース（１０）。
【請求項１１】
前記流体送り出し部材（２２）は、冷却用流動性媒体を前記ＲＦ電極（２０）の後面に制御可能に送り出すように構成されることを特徴とする請求項４〜１０のいずれか１項に記載のＲＦハンドピース（１０）。
【請求項１２】
前記流体送り出し部材（２２）は、前記ＲＦ電極（２０）の後側（２４）に流体を制御可能に送り出して前記ＲＦ電極（２０）を蒸発の作用で冷却し、かつ、前記ＲＦ電極（２０）の前側（２６）と接触状態にある皮膚表面を熱伝導により冷却するように構成されることを特徴とする請求項４〜１１のいずれか１項に記載のＲＦハンドピース（１０）。
【請求項１３】
前記流体送り出し部材（２２）は、重力の方向に対する前記ＲＦ電極（２０）の前面（２６）の実質的に任意の向きで前記ＲＦ電極（２０）の後面（２４）に、冷却用流動性媒体を制御可能に送り出すように構成されることを特徴とする請求項４〜１２のいずれか１項に記載のＲＦハンドピース（１０）。
【請求項１４】
前記ＲＦ電極（２０）は、前記ＲＦ電極（２０）の後面から、前記ＲＦ電極（２０）の前面（２６）と接触状態にある皮膚表面への冷却用流動性媒体の流れを最小限に抑えるように、十分に密封されていることを特徴とする請求項４〜１３のいずれか１項に記載のＲＦハンドピース（１０）。
【請求項１５】
前記ＲＦ電極装置は、ベントを有することを特徴とする請求項１〜１４のいずれか１項に記載のＲＦハンドピース（１０）。
【請求項１６】
前記冷却用流動性媒体弁部材（１６）は、冷却用流動性媒体のパルス化された送り出しを可能にするように構成されることを特徴とする請求項４に記載のＲＦハンドピース（１０）。
【請求項１７】
前記冷却用流動性媒体弁部材（１６）は、ソレノイド弁を含むことを特徴とする請求項４に記載のＲＦハンドピース（１０）。
【請求項１８】
前記力センサ（４４）は、前記ＲＦ電極（２０）によって表面に加えられた力の量を検出するように構成されることを特徴とする請求項１〜１７のいずれか１項に記載のＲＦハンドピース（１０）。
【請求項１９】
前記力センサ（４４）は、前記電極装置（１８）の重量の重力による影響を零点調整により無くすように構成されることを特徴とする請求項１〜１８のいずれか１項に記載のＲＦハンドピース（１０）。
【請求項２０】
前記力センサ（４４）は、重力の方向に対する前記ＲＦ電極（２０）の前面（２６）の任意の向きにおける前記電極装置（１８）の重量の重力による影響を零点調整により無くすように構成されることを特徴とする請求項１〜１９のいずれか１項に記載のＲＦハンドピース（１０）。
【請求項２１】
前記力センサ（４４）は、前記ＲＦ電極（２０）が皮膚表面と接触している指標をもたらすように構成されることを特徴とする請求項１〜２０のいずれか１項に記載のＲＦハンドピース（１０）。
【請求項２２】
前記力センサ（４４）は、前記ＲＦ電極（２０）によって接触状態の皮膚表面に加えられた力が最小閾値よりも低いことを指示する信号を出すように構成されることを特徴とする請求項１〜２１のいずれか１項に記載のＲＦハンドピース（１０）。
【請求項２３】
前記力センサ（４４）は、前記ＲＦ電極（２０）によって接触状態にある皮膚表面に加えられた力が最大閾値よりも大きいことを指示する信号を出すように構成されることを特徴とする請求項１〜２２のいずれか１項に記載のＲＦハンドピース（１０）。
【請求項２４】
前記力センサ（４４）に結合された風袋ボタンを更に有することを特徴とする請求項１〜２３のいずれか１項に記載のＲＦハンドピース（１０）。
【請求項２５】
前記ＲＦ電極（２０）は、フレックス回路を有することを特徴とする請求項１〜２４のいずれか１項に記載のＲＦハンドピース（１０）。
【請求項２６】
前記フレックス回路は、前記ＲＦ電極（２０）の後面（２４）から、前記ＲＦ電極（２０）の前面（２６）への冷却用流動性媒体の流れを隔離するように構成されることを特徴とする請求項２５記載のＲＦハンドピース（１０）。
【請求項２７】
前記フレックス回路は、前記ＲＦ電極（２０）の後面のところに集まる冷却用流動性媒体のリザーバを形成するように構成されることを特徴とする請求項２５又は２６に記載のＲＦハンドピース（１０）。
【請求項２８】
前記ＲＦ電極（２０）は、前記ＲＦ電極（２０）の少なくとも一部が皮膚表面と接触状態にあるときに、前記皮膚表面に容量結合されるように構成されることを特徴とする請求項１〜２７のいずれか１項に記載のＲＦハンドピース（１０）。
【請求項２９】
請求項１〜２７のいずれか１項に記載のＲＦハンドピース（１０）であって、ＲＦ発生器とともに使用されることを特徴とするＲＦハンドピース（１０）。
【請求項３０】
請求項１〜２９のいずれか１項に記載のＲＦハンドピース（１０）であって、ＲＦ発生器に接続されることを特徴とするＲＦハンドピース（１０）。